(57)【要約】【課題】  本発明は、建造物などの既設壁の壁面を石目調のタイル模様に容易にリニューアルすることができ、しかも、長年にわたり経年変化を防止することができる壁及びその形成方法を提供する。【解決手段】  既設壁１の壁面には、壁面を被覆するプライマー下塗塗料面４が形成され、このプライマー下塗塗料面４の表面には、タイル部２とこのタイル部２の周囲に形成された目地部３が形成され、目地部３には無機質塗料からなる目地塗料面５が形成され、タイル部２には、フィラー６を付着することによって石目調の模様起伏面が形成され、この模様起伏面を含むタイル部２の表面には、無機質塗料からなるベース塗膜７が形成され、このベース塗膜７の表面であってタイル部２には無機質塗料によって石目調に着色され、この着色されたタイル部２及び目地部３の表面には、疎水性を有するコート剤によって保護膜８が形成される。【選択図】図１
2012184637.tif 000002
【特許請求の範囲】
【請求項１】
タイル、モルタル塗装、コンクリート、パネル等からなる既設壁の壁面に石目調に施されたタイル調壁であって、
既設壁の表面には、上記壁面を被覆するプライマー下塗塗料が塗布され、このプライマー下塗塗料の表面には、タイル部とこのタイル部の周囲に形成された目地部が形成され、上記目地部には無機質塗料からなる目地塗料が塗布され、上記タイル部には、フィラーを付着することによって石目調の模様起伏面が形成され、この模様起伏面を含む上記タイル部の表面には、無機質塗料からなるベース塗膜が形成され、このベース塗膜の表面であって上記タイル部には無機質塗料によって石目調に着色され、この着色された上記タイル部及び上記目地部の表面には、疎水性を有するコート剤によって保護膜が形成されることを特徴とする既設壁面のタイル調壁。
【請求項２】
タイル、モルタル塗装、コンクリート、パネル等からなる既設壁の壁面に石目調に施されたタイル調壁の形成方法であって、既設壁の壁面を洗浄する工程と、上記壁面を被覆するプライマー下塗塗料を塗布する工程と、このプライマー下塗塗料が塗布された表面にタイル部の周囲に形成される目地部に無機質塗料からなる目地塗料を塗布する工程と、上記タイル部にフィラーを付着して石目調の模様起伏面を形成する工程と、この模様起伏面を含む上記タイル部の表面に無機質塗料からなるベース塗膜を形成する工程と、このベース塗膜の表面の上記タイル部に無機質塗料によって石目調の着色を施す工程と、このタイル部及び上記目地部の表面に疎水性を有するコート剤を塗布して保護膜を形成する工程を有する既設壁面のタイル調壁の形成方法。
【請求項３】
無機質塗料が、変性硅酸質系バインダー及び金属化合物を原料とした無機焼成顔料で形成される請求項１及び２に記載の既設壁面のタイル調壁及びその形成方法。
【請求項４】
石目調の模様起伏面を形成するフィラーが、各々のタイル部の少なくとも一部の表面に付着した請求項１及び２に記載の既設壁面のタイル調壁及びその形成方法。
【請求項５】
タイル部に着色する石目調の模様は、各タイル部毎に異ならせた請求項１及び２に記載の既設壁面のタイル調壁及びその形成方法。
【発明の詳細な説明】
【技術分野】
【０００１】  本発明は、建造物などのタイル、モルタル塗装、コンクリート、パネル等からなる既設壁の壁面を石目調のタイル模様にリニューアルされた壁及びその形成方法に関する。
【背景技術】
【０００２】  建造物等の内外壁面の仕上げに、陶磁器タイルなどを使用した貼りタイル仕上げが盛んに行われている。このタイル仕上げは、建造物に高級感を付与し、耐久性の高い仕上げが可能ではあるが、コストが高く、また施工に手間がかかるなどの問題点もあった。一方、工期の短縮化やコストダウンを目的に、タイル模様に打ち抜きされた型枠や、目地棒を組み合わせてタイル模様を形成し、塗装により、タイル調凹凸仕上げを付与する仕上塗装方法が開発され、実用に供している。しかしながら、貼りタイル仕上げやタイル調仕上塗材の塗膜は、長期間が経過すると、前者の陶磁器タイルであっても、その表面が汚染し、改装が必要となっているものが多数ある。従来これらのタイル面又はタイル模様塗膜面を塗り替えするには、タイル及びタイル調仕上塗膜の凸部のみを、ローラー塗装によって色替えする方法、吹き付け塗装等により、目地も含む全面を同一色相にて、タイル模様の凹凸のみを生かしながら色替えする方法、または、あらかじめポリマーセメント系下地調整塗材にて目地も含む全面を平滑にし、再度タイル調仕上塗材を塗装する方法がある。【０００３】  また、打放しコンクリート仕上げの壁などの場合は、経年変化により、コンクリート素地の一部に欠損や変色、或いは、汚損、風化汚染によって、まだら模様が生じることがある。打放しコンクリート仕上げは、コンクリートのセメント類、石灰等の無機物質の成分を含む為、酸性雨や紫外線に脆弱であり、その影響を受けやすいので美粧な模様が滅失してしまう問題があった。この阻害された状態や滅失した状態を再生するため、顔料や染料を調色した、調合ポリマーセメントモルタルにて補修着色をした後、クリヤーな撥水剤を塗布するか、或いは、コンクリート素地にセメントモルタルにて、コテ塗り後浸透性の防水をコンクリート全面に塗布、塗りつぶし、完全乾燥後に耐久性、耐候性の高い、フッ素樹脂やシリコン樹脂等のクリヤー塗料を塗布して、阻害された部分の表面を色付けすることにより隠蔽する工法が採られている。【０００４】
【特許文献１】特開２００８−２６６９１１号公報
【特許文献２】特開平３−４３５５９号公報
【特許文献３】特開平８−６８２１３号公報
【特許文献４】特開平１０−１１０５１４号公報
【特許文献５】特開平１３−７０８７６号公報
【発明の開示】
【発明が解決しようとする課題】
【０００５】  しかしながら、タイル及びタイル調仕上塗膜の凸部のみを、ローラー塗装によって色替えする方法は、目地の色替えを行いたいという目的を達成することができない上に目地部が汚染している場合には、タイル及びタイル調仕上塗膜の凸部のみを塗り替えても、全体の外観としては汚れた感じの印象は払拭できない。吹き付け塗装等により、目地も含む全面を同一色相にて、タイル模様の凹凸のみを生かしながら色替えする方法は、比較的簡便にかつ低コストで塗り替えが可能ではあるが、タイル模様の目地部とタイル部との色相が同一色となり、折角のタイル模様の凹凸感が失われるという意匠面での問題があった。また、ポリマーセメント系下地調整塗材にて目地を含む全面を平滑にして、タイル調仕上塗材を再度塗装する方法は、タイル模様の再現は可能ではあるが、一般に、アクリル樹脂エマルション塗料、ウレタン樹脂エマルション塗料、シリコン樹脂エマルション塗料、フッ素樹脂エマルション塗料、非水エマルション型塗料のアクリル樹脂ＮＡＤ形塗料、ウレタン樹脂ＮＡＤ形塗料、シリコン樹脂ＮＡＤ形塗料、フッ素樹脂ＮＡＤ形塗料、又溶剤型塗料のアクリル樹脂塗料、ウレタン樹脂塗料、シリコン樹脂塗料、フッ素樹脂塗料のいずれかを使用しているために、経年変化が生じ易く、塗料自体の劣化や変色、或いは、亀裂等が生じて塗り替え時期が早くなる問題があった。【０００６】  一方、打放しコンクリート仕上げの壁などの場合にも、やはり上述した塗料を塗布していることから、経年変化が生じ易く、塗料自体の劣化や変色、或いは、亀裂等が生じて塗り替え時期が早くなり、また、素地補修跡がコンクリート下地と馴染まなかったり、塗装色付け跡が強調しすぎて、いずれも手を加えた状況が良く判る状態になる問題があった。【０００７】  本発明は、これらの問題を解決し、建造物などの既設壁の壁面を石目調のタイル模様に容易にリニューアルすることができ、しかも、長年にわたり経年変化を防止することができる壁及びその形成方法を提供することを目的とする。
【課題を解決するための手段】
【０００８】  上記課題を解決するため本発明による既設壁面のタイル調壁は、タイル、モルタル塗装、コンクリート、パネル等の既設壁の壁面に石目調に施されたタイル調壁の表面には、上記壁面を被覆するプライマー下塗塗料が塗布され、このプライマー下塗塗料の表面には、タイル部とこのタイル部の周囲に形成された目地部が形成され、上記目地部には無機質塗料からなる目地塗料が塗布され、上記タイル部には、フィラーを付着することによって石目調の模様起伏面が形成され、この模様起伏面を含む上記タイル部の表面には、無機質塗料からなるベース塗膜が形成され、このベース塗膜の表面であって上記タイル部には無機質塗料によって石目調に着色され、この着色された上記タイル部及び上記目地部の表面には、疎水性を有するコート剤によって保護膜が形成されることを要旨としている。【０００９】  また、既設壁面のタイル調壁の形成方法は、タイル、モルタル塗装、コンクリート、パネル等からなる既設壁の壁面にを洗浄する工程と、上記壁面を被覆するプライマー下塗塗料を塗布する工程と、このプライマー下塗塗料が塗布された表面にタイル部の周囲に形成される目地部に無機質塗料からなる目地塗料を塗布する工程と、上記タイル部にフィラーを付着して石目調の模様起伏面を形成する工程と、この模様起伏面を含む上記タイル部の表面に無機質塗料からなるベース塗膜を形成する工程と、このベース塗膜の表面の上記タイル部に無機質塗料によって石目調の着色を施す工程と、このタイル部及び上記目地部の表面に疎水性を有するコート剤を塗布して保護膜を形成する工程を有すること要旨としている。【００１０】  上記無機質塗料としては、変性硅酸質系バインダー及び金属化合物を原料とした無機焼成顔料で形成することが望ましい。【００１１】  また、石目調の模様起伏面を形成するフィラーは、各々のタイル部の少なくとも一部の表面に付着することが望ましい。【００１２】  さらに、タイル部に着色する石目調の模様は、各タイル部毎に異ならせることが望ましい。
【発明の効果】
【００１３】  本発明による既設壁面のタイル調壁によれば、既設壁の壁面の表面に塗布されたプライマー下塗塗料の表面に形成される目地部、タイル部、ベース塗膜及び石目調の着色として無機質塗料を用いることから、不燃性、耐熱性、耐薬品性に加え、耐候性、密着性、疎水性を有しているため、経年変化が生じ難く、塗料自体の劣化や変色、或いは、亀裂等が生じ難くなるので、塗り替え時期を大幅に遅くすることができる。また、タイル部にフィラーを付着することによって模様起伏面を形成するので、石目調を容易に再現することができ、この模様起伏面に石目調の着色が施こされているので、自然石によって形成されたタイル壁を容易に再現することができる。【００１４】  また、本発明による既設壁面のタイル調壁の形成方法によれば、既設壁の壁面の表面に塗布されたプライマー下塗塗料の表面に、目地部、タイル部、ベース塗膜及び石目調の着色を同じ無機質塗料によって塗布されるので、石目調のタイル模様を容易に施工することができる。また、模様起伏面に無機質塗料によって石目調の着色を施すので、自然石の風合いを有するタイル壁を容易に形成することができる。【００１５】  また、上記無機質塗料が、変性硅酸質系バインダーに金属化合物を原料とした無機焼成顔料が混合されているので、耐候性、密着性、疎水性が強化され、一層経年変化が生じ難くすることが可能となる。【００１６】  さらにまた、石目調の模様起伏面を形成するフィラーを、各々のタイル部の少なくとも一部の表面に付着することにより、自然石の風合いを強調することが可能となる。【００１７】  タイル部に着色する石目調の模様を、各タイル部毎に異ならせることにより、色調の異なる複数の自然石を組み合わせた各種のデザインのタイル壁を容易に表現することが可能となる。
【発明を実施するための最良の形態】
【００１８】  本発明による既設壁面のタイル調壁は、タイル、モルタル塗装、コンクリート、パネル等の既設壁の壁面に石目調に施されたタイル調壁の表面には、上記壁面を被覆するプライマー下塗塗料が塗布され、このプライマー下塗塗料の表面には、タイル部とこのタイル部の周囲に形成された目地部が形成され、上記目地部には無機質塗料からなる目地塗料が塗布され、上記タイル部には、フィラーを付着することによって石目調の模様起伏面が形成され、この模様起伏面を含む上記タイル部の表面には、無機質塗料からなるベース塗膜が形成され、このベース塗膜の表面であって上記タイル部には無機質塗料によって石目調に着色され、この着色された上記タイル部及び上記目地部の表面には、疎水性を有するコート剤によって保護膜が形成される。【００１９】  また、本発明による既設壁面のタイル調壁の形成方法は、タイル、モルタル塗装、コンクリート、パネル等からなる既設壁の壁面にを洗浄する工程と、上記壁面を被覆するプライマー下塗塗料を塗布する工程と、このプライマー下塗塗料が塗布された表面にタイル部の周囲に形成される目地部に無機質塗料からなる目地塗料を塗布する工程と、上記タイル部にフィラーを付着して石目調の模様起伏面を形成する工程と、この模様起伏面を含む上記タイル部の表面に無機質塗料からなるベース塗膜を形成する工程と、このベース塗膜の表面の上記タイル部に無機質塗料によって石目調の着色を施す工程と、このタイル部及び上記目地部の表面に疎水性を有するコート剤を塗布して保護膜を形成する工程を有している。【００２０】  以下、図面に基いて本発明の好適な実施例について説明する。図１は、本発明による既設壁に施したタイル模様のタイル調壁を示している。既設壁１は、貼りタイル仕上げ、モルタル塗装、打放しコンクリート仕上げ、壁用パネル等の各種の壁面が設けられている。この既設壁１は、既に多くの年数が経過し、経年変化により、一部に欠損や変色、或いは、汚損、風化汚染されている。【００２１】  このような既設壁１の表面には、図２に示すように、壁面を被覆するプライマー下塗塗料４が塗布されている。このプライマー下塗塗料４の表面には、タイル部２の周囲に形成される目地部３に無機質塗料からなる目地塗料５が塗布されている。また、タイル部２には、フィラー６を付着することにより石目調の模様起伏面が形成されている。さらに、この模様起伏面を含むタイル部２の表面には、無機質塗料によって石目調を表現する例えば自然石のベースとなる単色の色からなるベース塗膜７が形成されている。このベース塗膜７は、好ましくは２層に形成されている。ベース塗膜７の表面には、タイル部２に無機質塗料によって石目調の着色が施こされ、上記石目調の模様起伏面に加えて自然石の風合いを表現するような色調に塗布されている。そして、これらタイル部２及び目地部３の表面には、疎水性を有するコート剤を塗布することによって保護膜８が形成されている。【００２２】  プライマー下塗塗料４は、既設壁１の壁面と、タイル部２及び目地部３の塗料との付着性を高める下塗り用の塗料である。（例えば、大日技研株式会社製のプライマー１００）また、無機質塗料は、各種の色付けが可能なように多種の��調を有し、その成分は、シロキサン結合を有する変性硅酸質系バインダーと、金属化合物を原料とした無機焼成顔料で形成されている。（例えば、大日技研株式会社製の商品名「ランデックスコートＰＢ−５０００」）さらに、石目調の模様起伏面を形成するためのフィラー６は、主成分がケイ酸質塗料とシリカアクリル樹脂によって形成された複層模様中塗剤であり、模様起伏面を形成するほか、小さなひび割れや小穴を埋める役割も有している。（例えば、大日技研株式会社製のフィラーＳ−５００）また、保護膜８を形成するコート剤は、シロキサン結合を有する変形ケイ酸質系バインダーと特殊シリコン基を組み合わせた水性のハイブリッド系疎水剤が使用される。因みに、保護膜８としては、例えば、大日技研株式会社製のランデックスコートＷＳが使用される。これを保護膜８として使用すると、静電気を帯びにくく、しかも耐汚染性が優れ、塗膜全体が疎水性を有していることから、塗膜がある限り長期間性能を発揮するため、長年にわたり経年変化を防止することが可能となる。【００２３】  次に、本発明による既設壁面のタイル調壁の形成方法について、一実施例を説明する。前述したように、既設壁１は、貼りタイル仕上げ、モルタル塗装、打放しコンクリート仕上げ、壁用パネル等の各種の壁面が設けられている。この既設壁１は、既に多くの年数が経過し、経年変化により、一部に欠損や変色、或いは、汚損、風化汚染されている。【００２４】  このような既設壁１に対し、まず、洗浄工程として、施工する表面を綺麗に洗浄し、埃、汚れ、或いはカビ等を落とす。次の工程として、洗浄された施工する壁面にプライマー下塗塗料４を塗布する。プライマー下塗塗料４は、後に塗布するタイル部２及び目地部３の塗料との付着性を高めるために塗布する。このプライマー下塗塗料４としては、大日技研株式会社製のプライマー１００を使用した。【００２５】  次に、プライマー下塗塗料４が塗布された表面にタイル部２の周囲に形成される目地部３に無機質塗料からなる目地塗料５を塗布する工程を行う。目地塗料５を塗布するには、塗布部分を残して両側にマスキングテープ等を貼付し、塗布部分をスプレーによって塗布する方法、或いは、刷毛によって塗布する方法がある。目地塗料５は、シロキサン結合を有する変性硅酸質系バインダーと、金属化合物を原料とした無機焼成顔料で形成された無機質塗料であり、所定の色調を塗布する。目地塗料５としては、大日技研株式会社製の商品名「ランデックスコートＰＢ−５０００」を使用した。【００２６】  その後、タイル部２の表面に、フィラー６を付着して石目調の模様起伏面を形成する工程を行う。フィラー６は、主成分がケイ酸質塗料とシリカアクリル樹脂によって形成された複層模様中塗剤であり、こてや刷毛等によってあたかも自然石の表面になるように、表面が起伏状態となるように塗布する。フィラー６は、タイル部２の表面全体に塗布しても、或いは、一部の任意に個所に部分的に塗布しても良い。このフィラー６としては、大日技研株式会社製のフィラーＳ−５００を使用した。なお、フィラー６を塗布することによって、仮に小さなひび割れや小穴があっても、フィラー６の塗布によって埋めることができる。【００２７】  このように、フィラー６の塗布によって、石目調の模様起伏面が形成されタイル部２には、次の工程として、無機質塗料によって、石目調を表現する例えば自然石のベースとなる単色の色からなるベース塗膜７が塗布される。このとき使用される無機質塗料は、前述した目地塗料５と同じ種類の塗料が使用される。このベース塗膜７は、２回塗ることにより重ね塗りが望ましい。重ね塗りすることにより、塗装面が綺麗に仕上がる他、ベース塗膜７の物理的強度を高めることが可能になる。【００２８】  ベース塗膜７を塗布したタイル部２には、その後、無機質塗料によって石目調の着色を施す工程を行う。このとき使用する無機質塗料も前述した目地塗料５或いはベース塗膜７と同じ種類の塗料が使用される。この工程では、石目調の模様起伏面に加えて自然石の風合いを表現するような色調に塗布される。タイル部２の表面に石目調の着色を施すことにより、あたかも自然石の表面のような陰影が付加され、自然石による貼りタイルの風合いを引き出すことができる。【００２９】  また、タイル部２に着色する石目調の模様や色調を、各タイル部２毎に異ならせることにより、色調の異なる複数の自然石を組み合わせたタイル壁を自在に表現することが可能になる。【００３０】  以上のように塗布されたタイル部２及び目地部３には、最終工程として、疎水性を有するコート剤を塗布することによって保護膜８を形成する。保護膜８としては、前述したように、大日技研株式会社製のランデックスコートＷＳを使用した。【００３１】  以上の工程によって形成された既設壁面のタイル調壁は、既設壁の壁面の表面に塗布されたプライマー下塗塗料の表面に形成される目地部、タイル部、ベース塗膜及び石目調の着色として無機質塗料を用いることにより、例えばカビの菌が付着しても、無機質塗料自体にカビの栄養素が存在しないので、繁殖することない。また、前述したように、不燃性、耐熱性、耐薬品性に加え、耐候性、密着性、疎水性を有しているため、経年変化が生じ難く、塗料自体の劣化や変色、或いは、亀裂等が生じ難くなるので、耐用年数を約１５年まで大幅に伸ばすことが、過負荷試験等によって確認された。また、保護膜８を塗布することにより、静電気を帯びにくく、しかも耐汚染性が優れ、塗膜全体が疎水性を有していることから、塗膜がある限り長期間性能を発揮するため、上記耐用年数を助長することが確認された。【００３２】  図３は、本発明による既設壁面のタイル調壁の変形例を示し、タイル部の全面にフィラー６を塗布し、全体に石目調の模様起伏面を形成した例を示している。すなわち、図１に示した実施例と相違する点は、プライマー下塗塗料４の表面のタイル部２には、フィラー６を付着することにより石目調の模様起伏面が形成されるが、このフィラー６を個々のタイル部２の全面を覆うように塗布したことである。このように、フィラー６によって、あたかも自然石の表面のように形成すると、自然石によって形成されたタイルを貼ったようになり、より自然なタイル模様を形成することができる。なお、その他の、目地部３に無機質塗料からなる目地塗料５を塗布すること、タイル部２の表面に、無機質塗料によってベース塗膜７を塗布すること、タイル部２に無機質塗料によって石目調の着色を施こすこと、及び、タイル部２及び目地部３の表面に、疎水性を有するコート剤を塗布して保護膜８を形成することは、前述した実施例と同様であり、その詳細な説明は省略する。【００３３】  図４は、本発明による既設壁面のタイル調壁の他の変形例を示し、タイル部３の全面に均一な膜厚のフィラー６を塗布、或いは、フィラー６を塗布しないことにより、タイル部３の表面を平坦に形成した例を示している。また、この例においても、フィラー６を塗布したタイル部３の表面に、無機質塗料によって石目調の着色を施す工程を行うが、図４に示すように、個々のタイル部３の色調を異ならせることにより、各種のデザイン模様を形成することが可能となる。このように、タイル部３の表面を平坦に形成することにより、研磨によって平坦化した自然石をタイルのように貼った形態にすることが可能となる。なお、この例においても、目地部３に無機質塗料からなる目地塗料５を塗布すること、タイル部２の表面に、無機質塗料によってベース塗膜７を塗布すること、タイル部２に無機質塗料によって石目調の着色を施こすこと、及び、タイル部２及び目地部３の表面に、疎水性を有するコート剤を塗布して保護膜８を形成することは、前述した実施例と同様であり、その詳細な説明は省略する。【００３４】  以上、本発明を実施例に基づき具体的に説明したが、本発明は上記実施例に限定されるものではなく、その要旨を逸脱しない範囲で種々変形可能であることは言うまでもない。例えば、無機質塗料は、他の塗料に変更しても良い。また、各実施例においては、タイル部の形状として長方形に形成した例を示したが、モザイク状や他の多角形状、或いは、円形等に変形しても良い。
【産業上の利用可能性】
【００３５】  本発明は、建造物などのタイル、モルタル塗装、コンクリート、パネル等からなる既設壁の壁面を石目調のタイル模様にリニューアルされた壁に利用できる。
【図面の簡単な説明】
【００３６】
【図１】本発明による既設壁面のタイル調壁の実施例を示す一部断面斜視図である。
【図２】図１におけるタイル調壁の断面図である。
【図３】本発明の既設壁面のタイル調壁の変形例を示す一部断面斜視図である。
【図４】本発明の既設壁面のタイル調壁の他の変形例を示す一部断面斜視図である。
【符号の説明】
【００３７】１    既設壁
２    タイル部
３    目地部
４    プライマー下塗塗料
５    目地塗料
６    フィラー
７    ベース塗膜
８    保護膜
【図１】
2012184637.tif 000003
【図２】
2012184637.tif 000004
【図３】
2012184637.tif 000005
【図４】
2012184637.tif 000006